(57)【要約】【課題】本発明の課題は、リワークが容易で、遮光手段を有する光学シートの劣化を防止し、さらには、耐衝撃性の高いフラットパネルディスプレイを提供することにある。【解決手段】本発明に係るフラットパネルのライトユニットの特徴は、光源からの光を一方の面の側から照射するための導光板２１、該導光板２１を一方の面の側から押さえる導光板押さえ部２４を有するシャーシ２２、および、一方の面上に配置された複数枚の光学シート２６ａ，２６ｂ，２６ｃを備え、この複数枚の光学シートのうち、最下層の光学シート２６ｃの周囲部が、導光板押さえ部２４と導光板２１との間に介在されるとともに導光板２１からの光を一方の面側に透過させない遮光手段２７を備え、上層の光学シート２６ａ，２６ｂは、導光板押さえ部２４の内側または上方に位置するように設けられている点にある。【選択図】図１
2005005003.tif 000002
【特許請求の範囲】
【請求項１】
光源からの光を一方の面の側から照射するための導光板、該導光板を前記一方の面の側から押さえる導光板押さえ部を有するシャーシ、および、前記一方の面上に配置された複数枚の光学シートを備えたライトユニットであって、
前記複数枚の光学シートのうち、少なくとも最下層の光学シートの周囲部は、前記導光板押さえ部と前記導光板との間に介在されるとともに、前記導光板からの光を前記一方の面側に透過させない遮光手段を備えており、
前記複数枚の光学シートのうち、上層の光学シートは、前記導光板押さえ部の内側または上方に位置するように設けられていることを特徴とするライトユニット。
【請求項２】
請求項１記載のライトユニットであって、
前記シャーシの導光板押さえ部は、前記導光板の一方の面の側に前記光学シートを介して載置され各画素における光の通過の制御を行うパネルの周囲部を、載置できるような肉厚に形成されていることを特徴とするライトユニット。
【請求項３】
光源からの光を一方の面の側から照射するための導光板、該導光板を前記一方の面の側から押さえる導光板押さえ部を有するシャーシ、前記一方の面上に配置された複数枚の光学シート、および、各画素における光の通過の制御を行うパネルを備えたフラットパネルディスプレイであって、
前記導光板の前記一方の面の側には、前記パネルが前記光学シートを介して載置されており、
前記複数枚の光学シートのうち、少なくとも最下層の光学シートの周囲部は、前記導光板押さえ部と前記導光板との間に介在されるとともに、前記導光板からの光を前記一方の面側に透過させない遮光手段を備えており、
前記複数枚の光学シートのうち、上層の光学シートは、前記導光板押さえ部の内側または上方に位置するように設けられていることを特徴とするフラットパネルディスプレイ。
【請求項４】
請求項３記載のフラットパネルディスプレイであって、
前記シャーシの導光板押さえ部には、前記パネルの周囲部が載置されていることを特徴とするフラットパネルディスプレイ。
【発明の詳細な説明】
【０００１】
【発明の属する技術分野】
本発明は、液晶表示装置などのフラットパネルディスプレイおよびそのライトユニットに関するものであり、より詳しくは、導光板を備えたバックライトユニットを備えるフラットパネルディスプレイに適した発明である。
【０００２】
【従来の技術およびその問題点】
フラットパネルディスプレイの代表的なものとして、液晶表示装置が広く知られており、この液晶表示装置は、携帯情報端末、ノート型パーソナルコンピュータ、デスクトップ型パーソナルコンピュータのディスプレイ等に幅広く用いられている。
【０００３】
この液晶表示装置にあっては、画素ごとに光の通過を制御する液晶パネルを用いて、所望の表示を行うものであるが、この画像を表示するための光を液晶パネルの背面側（視認者の反対側）に設けられたバックライトユニットから得るものが存在する。
【０００４】
この種、バックライトユニットからの光を用いた液晶表示装置にあっては、光源からの光を液晶パネルに均一に分布させるために、導光板や、複数枚の光学シートが用いられている。
【０００５】
この種の液晶表示装置をより具体的に説明すると、たとえば図５および図６に示すように、液晶パネル１０’と、この液晶パネル１０’に光を導光するための導光板２１’と、該導光板２１’の周囲に配されたシャーシ２２’と、該液晶パネル１０’と導光板２１’との間に介在された複数枚（図示例では三枚）の光学シート２６ａ’，２６ｂ’，２６ｃ’とを備えている。また、前記導光板２１’は、背面側が裏板金２５’によって支持され、この裏板金２５’と導光板２１’との間には反射シート２８’が介在されている。また、前記シャーシ２２’の内周面には、導光板２１’を前面側から押さえる導光板押さえ部２４’が、突設されており、該導光板押さえ部２４’によって導光板２１’の移動が制限されている。また、液晶パネル１０’は、この導光板２１’の前面側に、光学シート２６ａ’，２６ｂ’，２６ｃ’を介して載置され、その前面側からベゼル１３’によって固定されている。
【０００６】
ここで、図５に示す液晶表示装置にあっては、複数枚の光学シート２６ａ’，２６ｂ’，２６ｃ’は、導光板押さえ部２４’の内側および上方に配されており、具体的には、背面側の二枚の光学シート２６ｂ’，２６ｃ’は、導光板押さえ部２４’の内側に配され、光学シート２６ｂ’，２６ｃ’の熱膨張を考慮して、導光板押さえ部２４’の内径よりも若干小さく、導光板押さえ部２４’の内壁と所定隙間をもって配されている。また、最前面の光学シート２６ａ’には、その周囲部に導光板２１’からの光を前面側に表出させないための遮光印刷部２７’が設けられるが、この遮光印刷が施された光学シート２６ｃ’は、導光板押さえ部２４’の内径よりも大きく、導光板押さえ部２４’の上方に載置され、これにより、この光学シート２６ｃ’の周囲部に設けられた遮光印刷部２７’により光漏れを防止している。
【０００７】
この図５に示す液晶表示装置にあっては、組立時においては、裏板金２５’、導光板２１’およびシャーシ２２’からなるバックライトユニット２０’を組立てた後に、導光板２１’の前面に三枚の光学シート２６ａ’，２６ｂ’，２６ｃ’を載置し、さらにその前面に液晶パネル１０’を載置して、最後にベゼル１３’を被せて、液晶パネル１０’を固定して組み立てられる。
【０００８】
かかる液晶表示装置にあっては、光学シート２６ａ’，２６ｂ’，２６ｃ’の間にゴミが介在したり、光学シート２６ａ’，２６ｂ’，２６ｃ’の不良が生じた場合には、ベゼル１３’および液晶パネル１０’を離脱することにより、前面側から光学シート２６ａ’，２６ｂ’，２６ｃ’を取り出すことができ、リワークが容易に行いうるという利点を有する。
【０００９】
しかるに、かかる液晶表示装置にあっては、導光板押さえ部２４’に液晶パネル１０’を載置することが不可能であり、このため、衝撃に弱いという欠点を有していた。つまり、液晶パネル１０’の背面側には偏光板１２’が貼り付けられているが、この偏光板１２’は貼り付け公差のため、液晶パネル１０’のガラス基板１１’よりも所定隙間（０．６ｍｍ程度）あける必要があり、偏光板１２’を導光板押さえ部２４’に当接させる大きさにすることができない。一方、導光板押さえ部２４’の突設長さを長くして、液晶パネル１０’の偏光板１２’に当接させようとすると、斜め視で視認者からシャーシ２２’の導光板押さえ部２４’が視認されてしまい、表示品質が劣化するという問題を有していた。このため、導光板押さえ部２４’に液晶パネル１０’を載置することが不可能であった。
【００１０】
また、光学シート２６ａ’，２６ｂ’，２６ｃ’のうち導光板押さえ部２４’の上方に位置する最前面の光学シート２６ａ’に遮光印刷部２７’を設ける必要があり、この最前面の光学シート２６ａ’は、他のシート２６ｂ’，２６ｃ’に比較してその位置の問題から劣化しやすく、このように、遮光印刷を行った最もコストの高い光学シート２６ａ’が一番劣化しやすいという問題を有していた。つまり、この最前面の光学シート２６ａ’は、バックライトユニット２０’の組立て後の取り扱いにおいて、擦れたり、ぶつけたりすることにより、傷の発生が生じやすく、このため、他のシート２６ｂ’，２６ｃ’に比して劣化しやすいという問題を有していた。
【００１１】
一方、図６に示す液晶表示装置にあっては、複数枚の光学シート２６ａ’，２６ｂ’，２６ｃ’は、導光板押さえ部２４’の下方に配されており、最背面（最下層）の光学シート２６ｃ’は、その周囲部に導光板２１’からの光を前面側に表出させないための遮光印刷部２７’が設けられており、この遮光印刷部２７’により光漏れが防止されている。
【００１２】
この図６に示す液晶表示装置にあっては、組立時においては、裏板金２５’、導光板２１’、シャーシ２２’および三枚の光学シート２６ａ’，２６ｂ’，２６ｃ’からなるバックライトユニット２０’を組立てた後に、導光板２１’の前面の光学シート２６ａ’，２６ｂ’，２６ｃ’の前面に液晶パネル１０’を載置して、最後にベゼル１３’を被せて、液晶パネル１０’を固定して組み立てられる。
【００１３】
かかる液晶表示装置にあっては、導光板押さえ部２４’の上面に液晶パネル１０’を載置させることができ、図５に示す液晶表示装置に比して耐衝撃性が向上する。また、比較的劣化の少ない最背面の光学シート２６ａ’，２６ｂ’，２６ｃ’に遮光印刷部２７’を設けることができるため、図５に示すものに比して、コストアップを抑制することができる。
【００１４】
しかるに、この液晶表示装置にあっては、光学シート２６ａ’，２６ｂ’，２６ｃ’の間にゴミが介在したり、光学シート２６ａ’，２６ｂ’，２６ｃ’の不良が生じた場合には、ベゼル１３’および液晶パネル１０’を離脱するのみならず、裏板金２５’および導光板２１’を離脱させないと、光学シート２６ａ’，２６ｂ’，２６ｃ’を取り出すことができず、リワークが煩雑であるという問題を有する。
【００１５】
なお、特許文献１所載の技術も公知であり、かかる公知技術のものは、反射シートを光源の上方まで回りこませて、この反射シートの遮光印刷を施している。しかるに、この特許文献１所載のものにあっては、光源のリフレクタが金属や半族と樹脂とを貼り合わせたもの（たとえば、アルセットなど）を使用できない。金属やアルセットは、一般的に金型メーカによって加工されるものであり、これに遮光印刷を施すとなると、そのコストが大幅に増大するという欠点を有している。さらに、かかる構造において、拡散シートに遮光印刷を施しても、この拡散シートとシャーシの導光板押さえ部との間から光が漏れるという問題を有している。
【００１６】
【特許文献１】
特開平１１−１７６２２４号公報
【００１７】
また、特許文献２所載の技術は、粘着性のあるものを貼り付けて遮光する方式を採用しているが、かかる遮光の方式では、コスト高を免れ得ず、さらに、シートとシャーシの導光板押さえ部との間からの光漏れの問題をも有している。
【００１８】
【特許文献２】
特開２００１−１１７０９７号公報
【００１９】
【発明が解決しようとする課題】
そこで、本願発明は、上記問題点に鑑みてなされたものであり、本願発明の課題は、リワークが容易に行い得るとともに、遮光手段を有する光学シートの劣化を防止し、さらには、耐衝撃性の高いフラットパネルディスプレイおよびそのライトユニットを提供することを課題とする。
【００２０】
【課題を解決するための手段】
本願発明は上記課題を解決すべくなされたものであり、本願発明に係るライトユニットとしての特徴は、光源からの光を一方の面の側から照射するための導光板２１、該導光板２１を前記一方の面の側から押さえる導光板押さえ部２４を有するシャーシ２２、および、前記一方の面上に配置された複数枚の光学シート２６ａ，２６ｂ，２６ｃを備えたライトユニットであって、前記複数枚の光学シート２６ａ，２６ｂ，２６ｃのうち、少なくとも最下層の光学シート２６ｃの周囲部は、前記導光板押さえ部２４と前記導光板２１との間に介在されるとともに、前記導光板２１からの光を前記一方の面側に透過させない遮光手段２７を備えており、前記複数枚の光学シート２６ａ，２６ｂ，２６ｃのうち、上層の光学シート２６ａ，２６ｂは、前記導光板押さえ部２４の内側または上方に位置するように設けられている点にある。
【００２１】
上記構成からなる本願発明に係るライトユニットにあっては、パネル１０等を組み込むことによりフラットパネルディスプレイを構成することができ、そのフラットパネルディスプレイは、光学シート２６ａ，２６ｂのいわゆるリワーク時において、パネル１０側を離脱することにより、上層側の光学シート２６ａ，２６ｂを取り出すことができ、そのリワーク作業が容易である。また、遮光手段２７を有する光学シート２６ｃは、組立時などにおいても傷がつきにくい最下層に配されているため、コストアップを抑制することができる。さらに、従来のものに比して、導光板押さえ部２４の厚み（上下幅）を肉厚にすることができ、このため、強度的に優れるとともに、シャーシ２２を成形により形成する場合には成形型からの離脱が容易であるという利点を有する。
【００２２】
さらに、本願発明に係るライトユニットにあっては、請求項２記載のように、前記シャーシ２２の導光板押さえ部２４は、前記導光板２１の一方の面の側に前記光学シート２６ａ，２６ｂ，２６ｃを介して載置され各画素における光の通過の制御を行うパネル１０の周囲部を、載置できるような肉厚に形成されている構成を採用することが好ましい。
【００２３】
これにより、パネル１０等を組み込んだ際に、導光板押さえ部２４の上面にパネル１０を載置させることができ、フラットパネルディスプレイの耐衝撃性を向上させることができる。また、このように構成することにより、導光板押さえ部２４の厚みが肉厚となり、強度的に優れるとともに、成形による場合には型からの離脱が容易であるという利点を有する。
【００２４】
また、本願発明に係るフラットパネルディスプレイとしての特徴は、光源からの光を一方の面の側から照射するための導光板２１、該導光板２１を前記一方の面の側から押さえる導光板押さえ部２４を有するシャーシ２２、前記一方の面上に配置された複数枚の光学シート２６ａ，２６ｂ，２６ｃ、および、各画素における光の通過の制御を行うパネル１０を備えたフラットパネルディスプレイであって、前記導光板２１の前記一方の面の側には、前記パネル１０が前記光学シート２６ａ，２６ｂ，２６ｃを介して載置されており、前記複数枚の光学シート２６ａ，２６ｂ，２６ｃのうち、少なくとも最下層の光学シート２６ｃの周囲部は、前記導光板押さえ部２４と前記導光板２１との間に介在されるとともに、前記導光板２１からの光を前記一方の面側に透過させない遮光手段２７を備えており、前記複数枚の光学シート２６ａ，２６ｂ，２６ｃのうち、上層の光学シート２６ａ，２６ｂは、前記導光板押さえ部２４の内側または上方に位置するように設けられている点にある。
【００２５】
上記構成からなる本願発明に係るフラットパネルディスプレイにあっては、上記本願発明に係るライトユニットと同様の利点を有し、つまり、いわゆるリワーク時において、パネル１０側を離脱することにより、上層側の光学シート２６ａ，２６ｂを取り出すことができ、しかも、遮光手段２７を有する光学シート２６ｃは、傷がつきにくい最下層に配されているので、コストアップを抑制することができ、さらに、導光板押さえ部２４の厚みを肉厚にすることができる。
【００２６】
さらに、本願発明に係るフラットパネルディスプレイにあっては、前記シャーシ２２の導光板押さえ部２４には、前記パネル１０の周囲部が載置されている構成を採用することが好ましい。
【００２７】
このように導光板押さえ部２４の上面にパネル１０の周囲部が載置されることがにより、耐衝撃性を向上させることができ、また、導光板押さえ部２４の厚みが肉厚となり、強度的に優れるという利点を有する。
【００２８】
【発明の実施の形態】
以下、本願発明に係るフラットパネルディスプレイの一つの例として、バックライトユニットを有する液晶表示装置を例にとり、図面を参酌しつつ、以下説明する。
なお、図１乃至図３は、本願発明の第一実施形態の液晶表示装置の概略説明図であり、図１は、要部拡大端面図、図２は、図１の拡大図である。なお、図１において液晶パネルは断面の記載を省略している。また、図３は、同実施形態の液晶表示装置の組立状態を説明するための図面であり、（イ）は、バックライトユニットの組立状態を説明するための要部拡大断面図で、（ロ）は、バックライトユニットに液晶パネルを組み込む状態を説明するための要部拡大断面図である。図４は、他の実施形態の液晶表示装置の概略説明図であり、（イ）は、要部拡大断面図で、（ロ）は、バックライトユニットの斜視図である。なお、図４（イ）において液晶パネルは断面の記載を省略している。また、同図（ロ）においては、導光板と下層の光学シートのみを図示し、裏板金、シャーシ等の構成部材の記載を省略している。
【００２９】
本実施形態の液晶表示装置は、各画素における光の通過の制御を行う液晶パネル１０と、該液晶パネル１０に光を供給するバックライトユニット２０を備えている。
【００３０】
前記液晶パネル１０は、内部に液晶が封入された一対の基板１１と、この基板１１の上下にそれぞれ貼り合わされた偏光板１２とを備えている。この偏光板１２は、その貼り合わせ公差を考慮して、前記基板１１よりも大きさが若干小さく設けられている。
【００３１】
また、該液晶パネル１０は、バックライトユニット２０（の裏板金２５）と係合されるベゼル１３によって、バックライトユニット２０に固定されている。
【００３２】
前記バックライトユニット２０は、光源（図示省略）と、該光源からの光を液晶パネル１０に導光するための導光板２１と、該導光板２１を正面側から押さえる導光板押さえ部２４を有するシャーシ２２とを備えており、また、前記導光板２１は、背面側が裏板金２５によって支持され、この裏板金２５と導光板２１との間には反射シートが介在されている。
【００３３】
なお、前記光源は、シャーシ２２に内在されており、たとえば冷陰極管などにより構成されており、導光板２１の側端面に向けて光を照射するように設けられている。
【００３４】
また、前記シャーシ２２は、たとえば合成樹脂等の成型品から構成され、より詳しくは、合成樹脂材料から導光板押さえ部２４を有するシャーシ２２が一体成形されてなる。また、前記裏板金２５は、たとえば金属等の加工品から構成されている。
【００３５】
また、前記裏板金２５と導光板２１との間には、反射シート２８が介在されている。
【００３６】
前記シャーシ２２の導光板押さえ部２４は、枠状のシャーシ本体２３の内壁から内側に向けて突設されており、シャーシ本体２３の全周にわたって形成されている。また、この導光板押さえ部２４は、前記液晶パネル１０の下側の基板１１が載置できるような肉厚に形成されており、換言すれば、前記液晶パネル１０の基板１１の下面と導光板押さえ部２４の上面とが当接し、前記液晶パネル１０は、導光板押さえ部２４に載置された状態で固定されている。
【００３７】
また、バックライトユニット２０は、導光板２１と液晶パネル１０との間に介在される複数枚（図示例では三枚）の光学シート２６ａ，２６ｂ，２６ｃを備えている。ここで、複数枚の光学シート２６ａ，２６ｂ，２６ｃのうち、上層（視認者側）の二つの光学シート２６ａ，２６ｂは、熱膨張等を考慮して、前記シャーシ２２の導光板押さえ部２４の内径よりも小さく設けられており、導光板２１の上面であって前記導光板押さえ部２４の内側に配されている。
【００３８】
また、前記複数枚の光学シート２６ａ，２６ｂ，２６ｃのうち、最下層（最も導光板２１側）の光学シート２６ｃは、前記導光板押さえ部２４と導光板２１との間に周囲部が位置するように設けられている。具体的には、この最下層の光学シート２６ｃは、前記シャーシ２２の導光板押さえ部２４の内径よりも大きく且つシャーシ本体２３の内径よりも小さく設けられている。
【００３９】
また、この最下層の光学シート２６ｃは、その周囲部に遮光手段たる遮光印刷部２７が設けられている。ここで、この遮光印刷部２７は、光学シート２６ｃの周囲にわたって、その縁部から一定幅で形成されており、ここで遮光印刷部２７は、前記シャーシ２２の導光板押さえ部２４の内径よりも内側まで形成され、さらに、その他の上層の光学シート２６ａ，２６ｂ，２６ｃの外径よりも内側まで形成されている。
【００４０】
本実施形態の液晶表示装置は、上記構成からなるが、この液晶表示装置の組立方法について、図３を参酌しつつ、以下説明する。
【００４１】
まず、この組立方法は、バックライトユニット２０を組み立てる手順と、このバックライトユニット２０に液晶パネル１０を固定する手順とからなる。
【００４２】
バックライトユニット２０を組み立てる手順においては、複数枚の光学シート２６ａ，２６ｂ，２６ｃのうち、最下層の光学シート２６ｃの周囲部が、導光板押さえ部２４と導光板２１との間に介在されるように、バックライトユニット２０が組み立てられる。
より詳述すると、まず裏板金２５の上面に反射シート２８を載置し、その上面に導光板２１を載置し、さらにその上面に遮光印刷部２７が設けられた光学シート２６ｃを載置し、最後に光源を内蔵されたシャーシ２２を組み込むことにより、組み立てられる（図３（イ）参照）。
【００４３】
バックライトユニット２０に液晶パネル１０を固定する手順においては、複数枚の光学シート２６ａ，２６ｂ，２６ｃのうち、上層の光学シート２６ａ，２６ｂが、導光板押さえ部２４の内側に位置するように液晶パネル１０を固定しており、また、液晶パネル１０を導光板押さえ部２４に載置されるように固定している。
より詳述すると、前述のように組み立てられたバックライトユニット２０の導光板２１の上に（最下層の光学シート２６ｃのうえに）、他の光学シート２６ａ，２６ｂを載置して、さらに液晶パネル１０を載置して、最後にベゼル１３を被せることにより、本実施形態の液晶表示装置が組み立てられることになる（図３（ロ）参照）。
【００４４】
上記実施形態の液晶表示装置にあっては、遮光印刷が施された光学シート２６ｃは、組立て時などにおいても傷がつきにくい最下層に配されているため、コストアップを抑制することができる。
【００４５】
さらに、液晶パネル１０は、導光板押さえ部２４の上面に当接した状態で固定されているため、耐衝撃性を向上させることができる。
【００４６】
また、導光板押さえ部２４の厚みが従来のものに比して、導光板押さえ部２４の厚み（上下幅）を肉厚となるため、、この部位の強度に優れているとともに、シャーシ２２を成形する際に型からの離脱が容易であるという利点を有する。
【００４７】
また、光学シート２６ａ，２６ｂのいわゆるリワーク時において、ベゼル１３および液晶パネル１０を離脱することにより、上層側の光学シート２６ａ，２６ｂを取り出すことができ、そのリワーク作業が容易である。特に、傷つきやすい上層側の光学シート２６ａが上述のように取り出すことができ、このため、リワークの必要性の高い部材を容易に交換することができる。
【００４８】
なお、本願発明は上記実施形態の構成に限定されるものではなく、本願発明の意図する範囲内において適宜設計変更可能である。
【００４９】
つまり、上記実施形態においては、光学シート２６ｃの周囲部に印刷された遮光印刷部２７から遮光手段を構成したが、本願発明はこれに限定されるものではなく、たとえば、光学シート２６ｃの周囲部の裏面に別体の遮光シートを貼着して、遮光手段を構成することも可能である。
【００５０】
さらには、図４に示すように、最下層の光学シート２６ｃを周囲部のみの枠状に形成しておき、これに遮光印刷を施すなどの遮光手段を設けたものも本願発明の意図する範囲内である。なお、図４に示すものにあっては、枠状の光学シート２６ｃの内側に他の光学シート２６ｄを配置している。
【００５１】
ただし、本願発明にあっては、上記実施形態のように、導光板２１の全面にわたった光学シート２６ｃの周囲部に遮光印刷による遮光手段２７を設けることが好ましく、これにより、コストアップを抑制することができる。
【００５２】
また、上記実施形態においては、光学シートが三枚のものを例にとり説明したが、本願発明はこれに限定されるものではなく、光学シートが複数枚有するものであれば本願発明の意図する範囲内であり、たとえば二枚の光学シートのみからなるものも本願発明の意図する範囲である。
【００５３】
【発明の効果】
以上のように、本願発明にあっては、遮光手段を有する最下層の光学シートの周囲部が導光板押さえ部と導光板との間に介在され、上層の光学シートが、導光板押さえ部の内側または上方に位置するため、光学シートのリワーク時において、パネル側を離脱するのみで、上層側の光学シートを取り出すことができ、そのリワーク作業が容易である。また、遮光手段を有する光学シートは、最下層に配されているため、傷がつきにくく、このため高額な光学シートの交換に伴うコストアップを抑制することができる。さらに、従来のものに比して、導光板押さえ部の厚み（上下幅）を肉厚にすることができ、強度的に優れ、このため耐衝撃性が高いという効果をも有する。
【００５４】
また、シャーシの導光板押さえ部に、パネルが載置されるよう構成することで、導光板押さえ部の厚みが肉厚となり、強度的により優れ、しかも、導光板押さえ部の上面にパネルを載置させているため、耐衝撃性をより向上させることができる。
【図面の簡単な説明】
【図１】本願発明の第一実施形態の液晶表示装置の概略説明図で、要部拡大断面図である。
【図２】図１の拡大図である。
【図３】同実施形態の液晶表示装置の組立状態を説明するための概略的説明図であり、（イ）は、バックライトユニットの組立状態を説明するための要部拡大断面図で、（ロ）は、バックライトユニットに液晶パネルを組み込む状態を説明するための要部拡大断面図である。
【図４】本願発明の他の実施形態の液晶表示装置の概略説明図であり、（イ）は、要部拡大断面図で、（ロ）は、バックライトユニットの斜視図である。
【図５】従来の液晶表示装置の概略説明図で、要部拡大端面図である。
【図６】従来の他の液晶表示装置の概略説明図で、要部拡大端面図である。
【符号の説明】
１０    液晶パネル
１１    基板
１２    偏光板
１３    ベゼル
２０    バックライトユニット
２１    導光板
２２    シャーシ
２３    シャーシ本体
２４    導光板押さえ部
２５    裏板金
２６ａ，２６ｂ  上層の光学シート
２６ｃ  下層の光学シート
２７    遮光印刷部（遮光手段）
２８  反射シート
【図１】
2005005003.tif 000003
【図２】
2005005003.tif 000004
【図３】
2005005003.tif 000005
【図４】
2005005003.tif 000006
【図５】
2005005003.tif 000007
【図６】
2005005003.tif 000008